(57)【要約】【課題】  空調風がアスピレータ部から車室内に漏れることによって発生する乗員の空調感の悪化を抑制することが可能な車両用空調装置を提供すること。【解決手段】  通風ダクト１０の空調用熱交換器４１、４２の下流側から送風機３１の上流側へ空調空気を還流する還流通路６０を設け、アスピレータ部７０を還流通路６０に設けている。したがって、還流された空調空気により空調用熱交換器４１、４２への吸い込み空気温度を空調温度に近づけることができる。これにより、空調能力の損失を防止でき、乗員に向かって吹き出す空調風量を増加することができる。【選択図】        図１
2006282080.tif 000002
【特許請求の範囲】
【請求項１】
車室内に吹き出す空気を流通するための通風ダクト（１０）と、
前記通風ダクト（１０）内に設けられ、前記通風ダクト（１０）内に空気流を発生させる送風手段（３１）と、
前記通風ダクト（１０）内の前記送風手段（３１）より下流側に設けられ、前記通風ダクト（１０）内を流れる空気を空調する空調用熱交換器（４１、４２）と、
前記通風ダクト（１０）内の前記空調用熱交換器（４１、４２）より下流側の空気を、前記通風ダクト（１０）内の前記送風手段（３１）より上流側に還流する還流通路（６０）と、
前記車室内の空気が通風される通風路（９２）に設けられ、前記車室内の雰囲気状態を検出する雰囲気状態検出手段（９０）と、
前記還流通路（６０）内に設けられ、前記還流通路（６０）を還流する空気の流れに応じて前記通風路（９２）の空気を吸引し、前記車室内の空気を前記通風路（９２）に導くアスピレータ部（７０）とを備えることを特徴とする車両用空調装置。
【請求項２】
前記空調用熱交換器（４１、４２）は、前記通風ダクト（１０）内を流れる空気を冷却する冷却用熱交換器（４１）と、前記冷却用熱交換器（４１）で冷却された空気を加熱する加熱用熱交換器（４２）とからなり、
前記還流通路（６０）は、前記加熱用熱交換器（４２）より下流側の空気を、前記送風手段（３１）より上流側に還流することを特徴とする請求項１に記載の車両用空調装置。
【請求項３】
前記通風ダクト（１０）は、前記通風ダクト（１０）内に車室外の空気を吸い込むための外気吸込口（２２）を有し、
前記還流通路（６０）を還流する空気の前記通風ダクト（１０）内への吐出口（６２）は、前記送風手段（３１）より上流側において前記外気吸込口（２２）から吸い込まれる空気の動圧が比較的小さい部位に配設されていることを特徴とする請求項１または請求項２に記載の車両用空調装置。
【請求項４】
前記通風ダクト（１０）は、前記通風ダクト（１０）内に車室外の空気を吸い込むための外気吸込口（２２）を有し、
前記還流通路（６０）を還流する空気の前記通風ダクト（１０）内への吐出口（６２）は、前記送風手段（３１）より上流側において前記外気吸込口（２２）に対向する面を除く壁面（２４）に配設されていることを特徴とする請求項１または請求項２に記載の車両用空調装置。
【請求項５】
前記還流通路（６０）を還流する空気の前記通風ダクト（１０）内への吐出口（６２Ａ）は、前記送風手段（３１）より上流側において前記送風手段に向かう空気流れの下流側に向かって開口していることを特徴とする請求項１または請求項２に記載の車両用空調装置。
【請求項６】
前記通風ダクト（１０）は、前記通風ダクト（１０）内に車室外の空気を吸い込むための外気吸込口（２２）と、前記通風ダクト（１０）内に車室内の空気を吸い込むための内気吸込口（２１）とを有するとともに、これらの両吸込口（２１、２２）を切替開閉する開閉手段（２３）を備え、
前記還流通路（６０）を還流する空気の前記通風ダクト（１０）内への吐出口（６２Ｂ）は、前記開閉手段（２３）が前記内気吸込口（２１）を閉じたときに、前記開閉手段（２３）により前記外気吸入口（２２）側から遮断された部位に配設されていることを特徴とする請求項１または請求項２に記載の車両用空調装置。
【請求項７】
前記雰囲気状態検出手段（９０）は、前記車室内の空気の温度を検出する温度検出手段であることを特徴とする請求項１ないし請求項６のいずれか１つに記載の車両用空調装置。
【発明の詳細な説明】
【技術分野】
【０００１】
本発明は、通風ダクト内の空気流れに応じて車室内の空気を吸引し、車室内雰囲気の状態を検出する車両用空調装置に関する。
【背景技術】
【０００２】
従来技術として、下記特許文献１に開示された車両用空調装置がある。この車両用空調装置では、車室内のインストルメントパネル内側において通風ダクトの一部をなすクーラユニットに吹出管を設け、この吹出管に車室内の空気を吸引するアスピレータ構造部を形成している。
【０００３】
そして、送風機の作動に伴なって通風ダクト内の空気圧力が上昇すると、吹出管から吹き出す空気流により車室内の空気を吸引することで、この吸引経路に設けた空調制御用の車室内温度センサに車室内の空気を供給するようになっている。
【特許文献１】実開平７−４０２１５号公報
【発明の開示】
【発明が解決しようとする課題】
【０００４】
しかしながら、上記従来技術の車両用空調装置では、空調用熱交換器により空調された空気がアスピレータ部の一次空気通路からインストルパネルの内側に吹き出すことになる。
【０００５】
例えば、車室内冷房時には、空調用熱交換器であるエバポレータで冷却された空調風の一部がインストルパネルの内側に吹き出される。すなわち、冷却風の一部がフェイス吹出口などの本来の車室内空調のための吹出口以外から吹き出されてしまうことになる。
【０００６】
このように、従来の車両用空調装置では、空調風の一部がアスピレータ部から吹き出されると、乗員が空調感を充分に得ることができない場合があるという問題がある。
【０００７】
本発明は、上記点に鑑みてなされたものであり、空調風がアスピレータ部から車室内に漏れることによって発生する乗員の空調感の悪化を抑制することが可能な車両用空調装置を提供することを目的とする。
【課題を解決するための手段】
【０００８】
上記目的を達成するため、請求項１に記載の発明では、
車室内に吹き出す空気を流通するための通風ダクト（１０）と、
通風ダクト（１０）内に設けられ、通風ダクト（１０）内に空気流を発生させる送風手段（３１）と、
通風ダクト（１０）内の送風手段（３１）より下流側に設けられ、通風ダクト（１０）内を流れる空気を空調する空調用熱交換器（４１、４２）と、
通風ダクト（１０）内の空調用熱交換器（４１、４２）より下流側の空気を、通風ダクト（１０）内の送風手段（３１）より上流側に還流する還流通路（６０）と、
車室内の空気が通風される通風路（９２）に設けられ、車室内の雰囲気状態を検出する雰囲気状態検出手段（９０）と、
還流通路（６０）内に設けられ、還流通路（６０）を還流する空気の流れに応じて通風路（９２）の空気を吸引し、車室内の空気を通風路（９２）に導くアスピレータ部（７０）とを備えることを特徴としている。
【０００９】
これによると、アスピレータ部（７０）では、通風ダクト（１０）内の空調用熱交換器（４１、４２）より下流側の空気を通風ダクト（１０）内の送風手段（３１）より上流側に還流する還流通路（６０）内を流れる空気により通風路（９２）内の空気を吸引する。そして、この吸引に伴ない車室内から通風路（９２）に導かれた車室内の空気が、車室内の雰囲気状態を検出する雰囲気状態検出手段（９０）に供給される。
【００１０】
したがって、アスピレータ部（７０）を通過する空調用熱交換器（４１、４２）で空調された空調風の一部は、還流通路（６０）により通風ダクト（１０）内の送風手段（３１）より上流側に還流される。
【００１１】
還流された空調風は再度空調用熱交換器（４１、４２）に導入される。すなわち空調用熱交換器（４１、４２）への吸い込み空気温度を空調温度に近づけることができるので、空調能力の損失を防止でき、乗員に向かって吹き出す空調風量を増加することが可能である。
【００１２】
このようにして、車室内の雰囲気状態を検出するためにアスピレータ部（７０）を設けた場合であっても、乗員が空調感を得難いところに空調風が吹き出されることはなく、乗員の空調感の悪化を抑制することができる。
【００１３】
また、請求項２に記載の発明では、
空調用熱交換器（４１、４２）は、通風ダクト（１０）内を流れる空気を冷却する冷却用熱交換器（４１）と、冷却用熱交換器（４１）で冷却された空気を加熱する加熱用熱交換器（４２）とからなり、
還流通路（６０）は、加熱用熱交換器（４２）より下流側の空気を、送風手段（３１）より上流側に還流することを特徴としている。
【００１４】
これによると、冷却用熱交換器（４１）での冷却と加熱用熱交換器（４２）による再加熱との組み合わせにより空気を空調する場合には、両熱交換器（４１、４２）により空調が完了した後の空調風が送風手段（３１）より上流側に還流する。
【００１５】
したがって、空調温度によらず空調用熱交換器（４１、４２）への吸い込み空気温度を空調温度に近づけることができる。このようにして、乗員の空調感の悪化を確実に抑制することができる。
【００１６】
また、請求項３に記載の発明では、
通風ダクト（１０）は、通風ダクト（１０）内に車室外の空気を吸い込むための外気吸込口（２２）を有し、
還流通路（６０）を還流する空気の通風ダクト（１０）内への吐出口（６２）は、送風手段（３１）より上流側において外気吸込口（２２）から吸い込まれる空気の動圧が比較的小さい部位に配設されていることを特徴としている。
【００１７】
これによると、外気吸込口（２２）から車室外の空気を吸い込むモード時に、還流通路（６０）の吐出口（６２）に外気吸込口（２２）から吸い込まれる空気の動圧が印加され難い。したがって、車両の走行に伴なうラム圧の影響により吐出口（６２）から還流通路（６０）を空気が逆流することを防止することが容易である。
【００１８】
また、請求項４に記載の発明では、
通風ダクト（１０）は、通風ダクト（１０）内に車室外の空気を吸い込むための外気吸込口（２２）を有し、
還流通路（６０）を還流する空気の通風ダクト（１０）内への吐出口（６２）は、送風手段（３１）より上流側において外気吸込口（２２）に対向する面を除く壁面（２４）に配設されていることを特徴としている。
【００１９】
送風手段（３１）より上流側の通風ダクト（１０）内において外気吸込口（２２）に対向する面は、外気吸込口（２２）から車室外の空気を吸い込むモード時に、外気吸込口（２２）から吸い込まれる空気の動圧が印加され易い。したがって、この対向面を除く壁面（２４）に還流通路（６０）の吐出口（６２）を配設することにより、吐出口（６２）に外気吸込口（２２）から吸い込まれる空気の動圧が印加され難くすることができる。
【００２０】
また、請求項５に記載の発明では、
還流通路（６０）を還流する空気の通風ダクト（１０）内への吐出口（６２Ａ）は、送風手段（３１）より上流側において送風手段（３１）に向かう空気流れの下流側に向かって開口していることを特徴としている。
【００２１】
これによると、還流通路（６０）の吐出口（６２Ａ）に通風ダクト（１０）上流側で吸い込まれる空気の動圧が印加され難くすることができる。
【００２２】
また、請求項６に記載の発明では、
通風ダクト（１０）は、通風ダクト（１０）内に車室外の空気を吸い込むための外気吸込口（２２）と、通風ダクト（１０）内に車室内の空気を吸い込むための内気吸込口（２１）とを有するとともに、これらの両吸込口（２１、２２）を切替開閉する開閉手段（２３）を備え、
還流通路（６０）を還流する空気の通風ダクト（１０）内への吐出口（６２Ｂ）は、開閉手段（２３）が内気吸込口（２１）を閉じたときに、開閉手段（２３）により外気吸入口（２２）側から遮断された部位に配設されていることを特徴としている。
【００２３】
これによると、外気吸込口（２２）から車室外の空気を吸い込むモード時に、外気吸込口（２２）から吸い込まれる空気の動圧を開閉手段（２３）で遮断して、還流通路（６０）の吐出口（６２Ｂ）に外気吸込口（２２）から吸い込まれる空気の動圧が印加されることを防止できる。
【００２４】
また、請求項７に記載の発明では、雰囲気状態検出手段（９０）は、車室内の空気の温度を検出する温度検出手段であることを特徴としている。
【００２５】
これによると、空調温度制御のために車室内の空気の温度を検出する温度検出手段（９０）を備え、アスピレータ部（７０）により車室内の空気を温度検出手段（９０）に供給する車両用空調装置であっても、乗員が空調感を得難いところに空調風が吹き出されることはなく、乗員の空調感の悪化を抑制することができる。
【００２６】
なお、上記各手段に付した括弧内の符号は、後述する実施形態記載の具体的手段との対応関係を示す一例である。
【発明を実施するための最良の形態】
【００２７】
以下、本発明の実施の形態を図に基づいて説明する。
【００２８】
（第１の実施形態）
図１は本発明を適用した車両用空調装置の構成を概略的に示す模式構成図である。
【００２９】
図１に示すように、車室内に空気を送るための通風ダクト１０内には、この通風ダクト１０内に空気流を発生させるブロワモータ３２によって駆動されるファン３３が配設されている。ここでブロワモータ３２とファン３３とで本実施形態における送風手段である送風機３１を構成している。
【００３０】
ファン３３の下流部には、通風ダクト１０を塞ぐように冷却用熱交換器（冷房用熱交換器）であるエバポレータ４１が配設され、エバポレータ４１はファン３３が吹き出す空気流を冷却する。
【００３１】
エバポレータ４１は、図示しない圧縮機、凝縮機、減圧手段等とともに冷凍サイクルを構成しており、エバポレータ４１は、圧縮機から吐出され、凝縮、減圧された後の冷凍サイクル内の液相冷媒を蒸発する冷媒蒸発器である。
【００３２】
また、エバポレータ４１の下流部には、通風ダクト１０を約半分塞ぐように加熱用熱交換器（暖房用熱交換器）であるヒータコア４２が配設され、ヒータコア４２はエバポレータ４１を通過した冷風を再加熱するようになっている。
【００３３】
ヒータコア４２の上流部には、ヒータコア４２を通る空気（温風）と、ヒータコア４２をバイパスするバイパス通路４３を通る空気（冷風）との風量割合を切り替えて車室内へ吹き出す空気の温度を調節するエアミックスドア４４が配設されている。
【００３４】
本実施形態では、本発明で言うところの空調用熱交換器をエバポレータ４１とヒータコア４２とにより構成している。
【００３５】
通風ダクト１０の最下流には、エバポレータ４１およびヒータコア４２によって温度調節された空気を、車室内に向かって吹き出す複数の吹出口４５〜４７が設けられている。
【００３６】
複数の吹出口４５〜４７は、フロントガラスへ向かって吹き出すデフロスタ吹出口４５、乗員の上半身へ向かって吹き出すフェイス吹出口４６、および乗員の足元へ向かって吹き出すフット吹出口４７からなる。そしてこれらの各吹出口４５〜４７から吹き出される吹出風量割合は、図示しない吹出モードドアによって調節される。
【００３７】
また、ファン３３の上流部には、通風ダクト１０内に内気（車室内の空気）を取り込む内気吸込口２１と外気（車室外の空気）を取り込む外気吸込口２２とが設けられ、通風ダクト１０内に吸い込む空気を内気もしくは外気に切り替える内外気切替ドア２３が配設されている。
【００３８】
通風ダクト１０には、エバポレータ４１およびヒータコア４２下流側の空気の一部を、ファン３３より上流側に還流する還流通路６０が設けられている。
【００３９】
図１に示すように、本実施形態の通風ダクト１０は、内気吸込口２１、外気吸込口２２等が形成された内外気切替箱２０、送風機３０のファン３３等を収納する送風機ケース３０、およびエバポレータ４１、ヒータコア４２等を収納し吹出口４５〜４７が設けられた空調ケース４０により構成されている。
【００４０】
還流通路６０は、空調ケース４０のエバポレータ４１およびヒータコア４２配設部位下流側（具体的にはヒータコア４２を通る温風とバイパス通路４３を通る冷風との混合領域）の壁面に開口する吸入口６１と、内外気切替箱２０の内外気切替ドア２３より下流側（すなわち送風機３１より上流側）側壁面をなす壁部２４に開口する吐出口６２とを連通している。
【００４１】
吐出口６２が開口する壁部２４は、内外気切替箱２０の側壁面のうち外気吸込口２２側の図示下方面部であり、外気吸込口２２に対向する壁面部（内気吸込口２１側の図示下方面部）と反対側の壁面である。
【００４２】
したがって、吐出口６２は、外気吸込口２２から外気が導入されたときに、外気吸込口２２から吸い込まれる空気の動圧を比較的受け難い部位に開口している。
【００４３】
なお、吐出口６２の配設位置は、外気吸込口２２に対向する壁面部と反対側の壁部２４が最も好ましいが、外気吸込口２２から吸い込まれる空気の動圧を比較的受け難い部位であればよく、外気吸込口２２に対向する壁面部を除く他の壁部であってもよい。
【００４４】
還流通路６０の最上流部（吸入口６１近傍）には、一次空気通路７１内の空気の流れに応じて二次空気通路７２の空気を吸引する樹脂製（本例ではポリプロピレン樹脂製）のアスピレータ部７０が設けられている。そして、還流通路６０を流れる空気は、アスピレータ部７０の一次空気通路７１を流通するようになっている。
【００４５】
アスピレータ部７０の空気出口と前述した吐出口６２とは、例えばポリプロピレン樹脂をブロー成形してなる蛇腹状の還流ホース６０ａにより繋がれている。
【００４６】
すなわち、還流通路６０は、アスピレータ部７０の一次空気通路７１と還流ホース６０ａとにより形成されている。
【００４７】
アスピレータ部７０の二次空気通路７２の上流端には、車室内のインストルメントパネル９１に一体的に設けられて内部に温度センサ９０を収納する収納ケース部９２内の空気を吸引するための樹脂製（本例ではポリプロピレン樹脂製）のアスピレータホース９３が接続している。
【００４８】
そして、アスピレータ部７０の一次空気通路７１の空気流れに応じて二次空気通路７２内の空気が吸引されると、車室内の空気が収納ケース部９２およびアスピレータホース９３を介して吸引され、収納ケース部９２内に収納された温度センサ９０に車室内の空気を供給するようになっている。
【００４９】
収納ケース部９２は、本実施形態において車室内の空気が通過する通風路に相当し、温度センサ９０は、通風路に設けられて車室内の雰囲気状態を検出する雰囲気状態検出手段に相当する。
【００５０】
次に、上記構成に基づき本実施形態の車両用空調装置の作動について説明する。
【００５１】
送風機３１のブロワモータ３２がファン３３を回転駆動すると、通風ダクト１０内に空気流れが発生する。内外気切替ドア２３の切替状態に応じて内気吸込口２１もしくは外気吸込口２２から通風ダクト１０内に内気もしくは外気が導入される。
【００５２】
送風機３１から下流側に吐出された空気は、エバポレータ４１で冷却された後、エアミックスドア４４の開度状態に応じて適宜ヒータコア４２で再加熱されて温度調節され吹出口４５〜４７から設定された吹出モードに応じて車室内に吹き出される。
【００５３】
送風機３１の作動により通風ダクト１０内の送風機３１より下流側では空気圧が上昇する。また、通風ダクト１０内の送風機３１より上流側ではファン３３に空気が吸い込まれるため空気圧が下降する。
【００５４】
これに伴ない、吸入口６１からエバポレータ４１およびヒータコア４２（いずれかのみの場合もあり）で空調された空気の一部が流入し、還流通路６０内に吸入口６１から吐出口６２に向かう空調空気の流れが発生する。
【００５５】
吸入口６１から還流通路６０内に吸入された空調空気は、アスピレータ部７０の一次空気通路７１を通過するときに負圧を発生し、二次空気通路７２内の空気を吸引した後還流ホース６０ａ内を流れて吐出口６２から送風機３１の上流側に吐出される。
【００５６】
吐出口６２から内外気切替箱２０内に吐出された空調空気は、内気吸込口２１もしくは外気吸込口２２から吸入された空気と混合され、再度通風ダクト１０内を流れる。
【００５７】
還流通路６０を介した空調空気の還流に伴ないアスピレータ部７０の二次空気通路７２内の空気が吸引され、車室内の空気が収納ケース部９２およびアスピレータホース９３を介して吸引されて、収納ケース部９２内に収納された温度センサ９０に車室内の空気を供給する。
【００５８】
温度センサ９０は、供給された空気の温度を検出して温度情報を図示しないエアコンＥＣＵに出力し、エアコンＥＣＵは、この温度情報を車室内の空気の代表温度として、空調装置の吹出温度制御や吹出モード制御等を行なう。
【００５９】
上述の構成および作動によれば、温度センサ９０に車室内の空気を供給するために設けるアスピレータ部７０を、通風ダクト１０内の空調用熱交換器であるエバポレータ４１やヒータコア４２より下流側の空気を送風機３１より上流側に還流する還流通路６０に設けている。
【００６０】
すなわち、アスピレータ部７０から排出される空調空気と車室内の空気とが混合した空気は、アスピレータ部７０の出口に接続した還流ホース６０ａを介して、内外気切替箱２０の吐出口６２から通風ダクト１０内の送風機３１上流側に還流する。
【００６１】
したがって、還流された空調空気は再度エバポレータ４１やヒータコア４２に導入される。すなわち空調用熱交換器４１、４２への吸い込み空気温度を空調温度に近づけることができる。これにより、空調能力の損失を防止でき、乗員に向かって吹き出す空調風量を増加することができる。
【００６２】
例えば、最大冷房状態が設定されるとともに、フェイス吹出モードが設定された場合には、エバポレータ４１で冷却された冷風がフェイス吹出口４６から車室内乗員の頭部側に向かって吹き出される。
【００６３】
従来技術の車両用空調装置では、アスピレータ部からインストルメントパネルの内側等で車室内に排出される冷風は、車室内の冷房に若干寄与しているものの、乗員の頭部側に向かって吹き出すものではないので、乗員に与える冷房感の向上に寄与できなかった。
【００６４】
これに対し、本実施形態の車両用空調装置では、アスピレータ部７０から排出された冷風は、通風ダクト１０内に還流されて再度エバポレータ４１に流れ込み熱交換される。したがって、フェイス吹出口４６から吹き出す風量を増加することができ、乗員に冷風感を与える冷房能力の損失を防止することができる。
【００６５】
この効果は、空調温度が異なる場合や吹き出しモードが異なる場合にも発揮される。例えば、暖房時におけるフット吹出口４７から乗員足元側への温風吹き出し時に、フット吹出口４７から吹き出す風量を増加することができ、乗員に温風感を与える暖房能力の損失を防止することができる。
【００６６】
このようにして、温度センサ９０に車室内の空気を供給するためにアスピレータ部７０を設けた場合であっても、乗員が空調感を得難いところに空調風が吹き出されることはなく、乗員の空調感の悪化を抑制することができる。
【００６７】
また、還流通路６０の吐出口６２は、送風機３１より上流側の内外気切替箱２０内において外気吸込口２２から吸い込まれる空気の動圧が比較的小さい外気吸込口２２に対向しない壁部２４に配設されている。
【００６８】
したがって、外気吸込口２２から通風ダクト１０内に車室外の空気を吸い込むモード（外気導入モード）時に、吐出口６２に外気吸込口２２から吸い込まれる空気の動圧が印加され難く、車両の走行に伴なうラム圧の影響により吐出口６２から還流通路６０を空気が逆流することを防止することができる。
【００６９】
（第２の実施形態）
次に、第２の実施形態について図２に基づいて説明する。
【００７０】
本第２の実施形態は、前述の第１の実施形態と比較して、還流通路の吐出口の開口方向を変更した点が異なる。なお、第１の実施形態と同様の部分については、同一の符号をつけ、その説明を省略する。
【００７１】
図２に要部を示すように、本実施形態では、内外気切替箱２０の壁部２４の内側に仕切り壁部２４ａを設け、第１の実施形態に対し、還流通路６０を下流側に延長して曲折して吐出口６２Ａを送風機３１のファン３３の吸い込み口に向けて開口している。すなわち、吐出口６２Ａを、通風ダクト１０内の送風機３１より上流側において、送風機３１に向かう空気流れの下流側に向かって開口している。
【００７２】
したがって、還流通路６０の吐出口６２Ａに通風ダクト１０の上流側で内気吸込口２１や外気吸込口２２から吸い込まれる空気の動圧が印加され難くすることができる。このようにして、外気吸込口２２から通風ダクト１０内に車室外の空気を吸い込むモード（外気導入モード）時に、車両の走行に伴なうラム圧の影響により吐出口６２Ａから還流通路６０を空気が逆流することを一層確実に防止することができる。
【００７３】
なお、本実施形態のように、外気吸込口２２から吸い込まれる空気の動圧が印加され難い方向に開口する吐出口６２Ａを採用すれば、外気吸込口２２に対向した壁部側等に設けた場合であっても、外気導入モード時に、車両の走行に伴なうラム圧の影響により吐出口６２Ａから還流通路６０を空気が逆流することを防止することが可能である。すなわち、吐出口６２Ａの設定位置の自由度が上昇する。
【００７４】
（第３の実施形態）
次に、第３の実施形態について図３に基づいて説明する。
【００７５】
本第３の実施形態は、前述の第１の実施形態と比較して、還流通路の吐出口を内気吸込口に設けた点が異なる。なお、第１の実施形態と同様の部分については、同一の符号をつけ、その説明を省略する。
【００７６】
図３に要部を示すように、本実施形態では、還流通路６０を構成する還流ホース６０ａの下流端に吐出パイプ６３を配置し、この吐出パイプ６３の下流側端部を吐出口６２Ｂとしている。そして、吐出パイプ６３を内気吸込口２１内に配設している。
【００７７】
これにより、還流通路６０吐出口６２Ｂは、両吸込口２１、２２の開閉手段である内外気切替ドア２３が内気吸込口２１を閉じたときに、内外気切替ドア２３により外気吸入口２２側から遮断された部位に配設される。
【００７８】
したがって、外気吸込口２２から車室外の空気を吸い込むモード（外気導入モード）時に、外気吸込口２２から吸い込まれる空気の動圧を内外気切替ドア２３で遮断して、還流通路６０の吐出口６２Ｂに外気吸込口２２から吸い込まれる空気の動圧が印加されることを防止できる。
【００７９】
このようにして、外気吸込口２２から通風ダクト１０内に車室外の空気を吸い込むモード時に、車両の走行に伴なうラム圧の影響により吐出口６２Ｂから還流通路６０を空気が逆流することを確実に防止することができる。
【００８０】
なお、本実施形態では、内気吸込口２１から通風ダクト１０内に車室内の空気を吸い込むモード（内気導入モード）時には、還流通路６０を介して空調空気を還流することができるが、外気導入モード時には、空調空気を還流することはできない。外気導入モード時においても、アスピレータ部７０の吸引機能を発揮するために還流通路７０に空調空気を通気する。
【００８１】
そのため、吐出口６２Ｂが内外気切替ドア２３に対し常時接触しないように、吐出パイプ６３を内気吸込口２１閉塞時の内外気切替ドア２３位置から離設するか、吐出パイプ６３もしくは還流ホース６０ａに、外気導入モード時に還流通路６０から空調空気を排出する排出口を設けるとともに、内気導入モード時にこの排出口を閉塞する弁体を設定することが好ましい。
【００８２】
なお、本実施形態では、吐出パイプ６３を内外気切替箱２０に対し別体としているが、一体としたものであってもよい。
【００８３】
別体とした場合には、還流通路６０を介した空調空気の還流による乗員空調感の向上を行なう空調装置と、還流を行なわず部品点数の低減等によりコストダウンを行なう空調装置とを設定するときに、内外気切替箱２０を共通化することが容易である。
【００８４】
また、一体とした場合には、位置決めされた吐出口６２Ｂを有する内外気切替箱２０を容易に形成することができるという利点がある。
【００８５】
（他の実施形態）
上記各実施形態では、雰囲気状態検出手段は、車室内の空気温度を検出する温度検出手段である温度センサ９０であったが、車室内の雰囲気状態を検出する手段であればこれに限定されるものではない。例えば、車室内の空気の湿度を検出する湿度検出手段としての湿度センサであってもよいし、温度検出機能と湿度検出機能の両者を備えるものであってもよい。
【００８６】
また、上記各実施形態では、還流通路６０の吐出口６２、６２Ａ、６２Ｂを内外気切替箱２０に設けていたが、通風ダクト１０の送風機３１より上流側であれば送風機ケース３０に設けるものであってもよい。
【００８７】
また、上記各実施形態の車両用空調装置は、エバポレータ４１で冷却されバイパス通路４３を流れる冷風と、エバポレータ４１で冷却された後ヒータコア４２で再加熱された温風とを混合して空調する所謂エアミックスタイプの空調装置であったが、エバポレータで冷却された空気を全てヒータコアに流し、ヒータコアにおける再加熱量を調節する所謂リヒートタイプの空調装置であってもかまわない。
【００８８】
また、上記各実施形態では、空調用熱交換器はエバポレータ４１およびヒータコア４２であったが、空調用熱交換器として冷却用熱交換器もしくは加熱用熱交換器のいずれかのみを備える車両用空調装置にも、本発明を適用して有効である。
【図面の簡単な説明】
【００８９】
【図１】本発明を適用した第１の実施形態における車両用空調装置の構成を概略的に示す模式構成図である。
【図２】本発明を適用した第２の実施形態における車両用空調装置の要部構成を概略的に示す模式構成図である。
【図３】本発明を適用した第３の実施形態における車両用空調装置の要部構成を概略的に示す模式構成図である。
【符号の説明】
【００９０】
１０  通風ダクト
２０  内外気切替箱（通風ダクトの一部）
２１  内気吸込口
２２  外気吸込口
２３  内外気切替ドア（開閉手段）
２４  壁部（外気吸入口に対向する面を除く壁面）
３０  送風機ケース（通風ダクトの一部）
３１  送風機（送風手段）
４０  空調ケース（通風ダクトの一部）
４１  エバポレータ（空調用熱交換器）
４２  ヒータコア（空調用熱交換器）
６０  還流通路
６２、６２Ａ、６２Ｂ  吐出口
７０  アスピレータ部
９０  温度センサ（雰囲気状態検出手段）
９２  収納ケース部（通風路）
【図１】
2006282080.tif 000003
【図２】
2006282080.tif 000004
【図３】
2006282080.tif 000005